(57)【要約】【課題】  画像処理装置で収集した履歴情報を基に、カラーページの使用枚数、モノクロページの使用枚数、全体の出力枚数の内のカラー出力の比率、全体の出力枚数、両面の比率、ページ集約の比率などをログインユーザごとに集計し、画像処理装置上で表示して、ユーザにコスト削減を意識させることを目的とする。【解決手段】  本発明の画像処理装置は、画像処理及び印刷出力に対応する履歴を管理し、当該履歴に基づきユーザごとの集計機能を備え、画像処理装置にユーザがログインする際のユーザ情報を取得し、該取得したユーザ情報に基づき、ログインユーザによる画像処理装置における履歴に基づく集計結果の表示し、前記集計結果として表示される情報として、カラー比率、両面比率、及びページ集約比率の少なくとも１つ以上を含むことを特徴とする。【選択図】  図７
2010093486.tif 000002
【特許請求の範囲】
【請求項１】
画像処理装置における画像処理及び印刷に対応する履歴を管理し、当該履歴に基づきユーザごとの集計機能を備える画像処理装置であって、
画像処理装置にユーザがログインする際のユーザ情報を取得する取得手段と、
画像処理装置にユーザがログインした際に、前記取得手段により取得したユーザ情報に基づき、ログインしたユーザによる画像処理装置における履歴に基づく集計結果の表示する表示手段とを備え、
前記集計結果として表示される情報として、カラー比率、両面比率、及びページ集約比率の少なくとも１つ以上を含むことを特徴とする画像処理装置。
【請求項２】
前記ユーザ情報は、ユーザＩＤまたは部門ＩＤであることを特徴とする請求項１に記載の画像処理装置。
【請求項３】
画像処理装置における画像処理及び印刷に対応する履歴を管理し、当該履歴に基づきユーザごとの集計機能を備える画像処理装置における情報処理方法であって、
画像処理装置にユーザがログインする際のユーザ情報を取得する取得工程と、
画像処理装置にユーザがログインした際に、前記取得工程で取得したユーザ情報に基づき、ログインしたユーザによる画像処理装置における履歴に基づく集計結果の表示する表示工程とを備え、
前記集計結果として表示される情報として、カラー比率、両面比率、及びページ集約比率の少なくとも１つ以上を含むことを特徴とする情報処理方法。
【請求項４】
請求項３に記載の情報処理方法をコンピュータにより実現するためのプログラム。
【発明の詳細な説明】
【技術分野】
【０００１】
本発明は画像処理装置における、画像処理及び印刷出力に基づく履歴を扱う技術に関する。
【背景技術】
【０００２】
近年、画像処理装置において膨大な量の印刷物が出力されるようになった。そして、環境問題やコスト意識の向上により、不必要な印刷出力は抑えたいという要求が高まってきた。そこで、各ユーザに資源の節約意識を持たせるための取り組みか行われている。
【０００３】
従来から、画像処理装置の利用の際の集約印刷（２ｉｎ１など）、両面印刷、及びトナーセーブモードなどによる節約に関する情報をＩＤごとに管理し、画像形成装置の操作パネルに表示するといった技術がある（例えば、特許文献１参照）。
【特許文献１】特開２００２−３０４０９２号公報
【発明の開示】
【発明が解決しようとする課題】
【０００４】
しかしながら、上述した従来技術に対して、各ユーザに画像処理装置を利用する際に、常に節約を意識させるような、より効果的な仕組みが求められる。
【課題を解決するための手段】
【０００５】
上記を鑑み、本発明は、画像処理及び印刷に対応する履歴を管理し、当該履歴に基づきユーザごとの集計機能を備える画像処理装置であって、画像処理装置にユーザがログインする際のユーザ情報を取得する取得手段と、画像処理装置にユーザがログインした際に、前記取得手段により取得したユーザ情報に基づき、ログインしたユーザによる画像処理装置における履歴に基づく集計結果の表示する表示手段とを備え、前記集計結果として表示される情報として、カラー比率、両面比率、及びページ集約比率の少なくとも１つ以上を含むことを特徴とする。
【発明の効果】
【０００６】
本発明により、画像処理装置を利用する際に、各ユーザに適した、常に節約を意識させるような、より効果的な仕組みが提供できる。
【発明を実施するための最良の形態】
【０００７】
以下、本発明を実施するための最良の形態について図面を用いて説明する。
【０００８】
［実施例１］
図１は画像処理装置の一例である、ＭＦＰ（Ｍｕｌｔｉ  Ｆｕｎｃｔｉｏｎ  Ｐｅｒｉｐｈｅｒａｌ）のハードウェアのブロック図である。ＭＦＰは複写、印刷、スキャンなど複数の機能を備えた装置である。なお、本発明の実施例に記載する技術は、同様な印刷機能、表示機能などを有するプリンタや複写機でも実現可能である。
【０００９】
図１において、１０５はデバイス全体を制御するコントローラ部である。コントローラの内部構成として１０１はＣＰＵ、即ち中央処理装置であり、このコントローラの制御および演算処理等を行うものである。
【００１０】
１０２はＲＯＭ、即ち読み出し専用メモリであり、システム起動プログラムの情報等の記憶領域である。１０３はＲＡＭ、即ちランダムアクセスメモリであり、使用制限のないデータ記憶領域であり、１０４はＨＤ、即ちハードディスクあるいはＳＲＡＭなど不揮発性記憶装置である。１０３ＲＡＭは、オペレーティングシステムや通信制御およびエンジン制御などのプログラムがロードされ、実行されたり、データが記憶されたりする領域である。
【００１１】
１０６はスキャナであり、画像読み取り動作をする。１０７はプリンタであり、コントローラの制御のもとで印刷動作をする。
【００１２】
１０８はＵＩ部であり、ユーザからの指示を受け付けつける操作部、あるいは、各種情報の表示を行ったりする。１０９は通信部であり、ネットワーク通信制御を行うものであり，他の画像処理装置やコンピュータとの通信が可能である。１１０はシステムバスであり、上述の構成要素間のデータの通路となるべきものである。
【００１３】
図２は本発明のＭＦＰのソフトウェアなどのモジュール構成図である。
【００１４】
２０１はオペレーティングシステム（ＯＳ）であり、ＭＦＰ全体の資源を管理／制御する。
【００１５】
２０２はＡＰＩ−１であり、ＯＳ２０１上で動作するアプリケーションのためのインタフェースである。アプリケーションはＡＰＩ−１を通じて、ＭＦＰ上のリソースにアクセスしたり、ＣＰＵでコマンドを実行したりすることができる。
【００１６】
２０３はＯＳ２０１上で動作するコントローラ制御部であり、スキャナ１０６、プリンタ１０７、操作部１０８などを制御する。
【００１７】
２０４はリソース管理部であり、コントローラ制御部２０２、後述する仮想マシン２０５、仮想マシン上の全アプリケーションがメモリ等のリソース資源を使用する際、予め決められた以上の資源が使用できないように制限するものである。
【００１８】
２０５は仮想マシンであり、特定のアプリケーションを実行するために最適な実行環境であり、例えば、Ｊａｖａ（登録商標）の仮想マシンなどにより実現されるものである。
【００１９】
２０６はＡＰＩ−２であり、仮想マシン２０５上で動作するアプリケーションが、コントローラ制御部２０３、リソース管理部２０４、ＡＰＩ−１２０２などを利用するためのインタフェースである。
【００２０】
２０７はアプリケーション管理アプリケーションであり、仮想マシン２０５上で動作するアプリケーションを管理する。後述するアプリケーションのダウンロード、アップロード、消去、有効無効化などの制御を行うものでもある。
２０７は仮想マシン２０５上で動作するアプリケーションである。本構成において、ＭＦＰに適宜、任意の機能を持つアプリケーションを任意の数だけインストールし、動作させることが可能である。ここで記載されたアプリケーションは、後述するような、画像処理、印刷による出力枚数などの集計やその集計結果などの表示を行うアプリケーション（集計機能として動作）が含まれる。
【００２１】
ここで、各アプリケーションは、対応するプログラムがＲＯＭ１０２あるいはＨＤ部１０４に記憶され、ＭＦＰ起動時にＲＡＭ１０３にロードされ、実行されることでその機能を実現する。
【００２２】
図３はＵＩ部１０８が提供するユーザインタフェースの一例である。
【００２３】
３００はキー入力部であり、ハードキーによりユーザ操作を受付可能である。３０１はＯＮ／ＯＦＦボタンであり、電源スイッチである。３０２は節電キーであり、本ボタンが押されると節電モードに移行する。節電モードとは、一部の部品への電源供給を停止することで機器全体の電力消費を抑える状態のことを示す。
【００２４】
３０３はカウンタ確認キーであり、このボタンが押されると３１２タッチパネルに課金カウンタの値が表示される。課金カウンタの値の表示例（表１）を次に示す。
【００２５】
【表１】
2010093486.tif 000003
【００２６】
表１において、トータルとは、ＭＦＰが設置されてから現在まで、排紙された面数の合計を示す。白黒トータルとはトータルのうちの白黒印刷のものであり、カラートータルとはトータルのうちのカラー印刷のものである。
【００２７】
３０４はスタートキーであり、コピー／印刷／スキャン／送信などのＭＦＰが提供する処理の開始を指示する。３０５はストップキーであり、スタートキーで開始したジョブを停止する。３０６はテンキーであり、数値情報を入力する。３０７はＩＤキーであり、認証情報の入力を行うことを指示するものである。３０８はクリアキーであり、３０６テンキーによって入力された情報を解除する。３０９はリセットキーであり、ユーザによって処理対象のジョブに支持されたすべてのパラメータを解除する。３１０はヘルプキーであり、操作方法が不明なときにユーザが押すものであり、操作の助けとなる情報を表示する。３１１はユーザモードキーであり、各種設定を開始するためのキーである。
【００２８】
３１２はタッチパネル機能を供えている。タッチパネルは表示機能を備えると共に、表示領域が押されたかどうかを検知することにより、操作者からの入力を受け付けることができる。
【００２９】
図４，図５、図６、図７はＭＦＰのタッチパネル上に表示される画面の一例である。
【００３０】
ここで図４、及び図５は、ユーザ情報（部門ＩＤやユーザＩＤなど）を用いたログイン画面の一例である。何れのログイン画面表示によりログイン制御を行うかはユーザにより任意に設定できる。
【００３１】
図４は部門ごとの認証を行う画面である。ＭＦＰは起動後に本画面を表示して、部門ごとのログインを制御する。
【００３２】
４０１は部門ＩＤ入力テキストボックス、４０２は暗号番号入力テキストボックスであり、キー入力部３００から任意の文字列を入力可能である。部門ＩＤ、及び暗証番号の入力後にＩＤキー３０７が押されると、入力された部門ＩＤ、及び暗証番号により照合処理が行われ、正しい部門ＩＤ、及び暗証番号であることが確認されればトップ画面６００を表示する。正しくなければ、部門ＩＤ入力テキストボックス、及び暗号番号入力テキストボックスを空にし、初期状態に戻す。
【００３３】
図５はユーザごとの認証を行う画面である。ＭＦＰは起動後に本画面を表示して、ユーザごとのログインを制御する。
【００３４】
５０１はユーザＩＤ入力テキストボックス、５０２は暗号番号入力テキストボックスであり、キー入力部３００から任意の文字列を入力可能である。ユーザＩＤ、及び暗証番号入力後にログインキー５０４が押されると、入力されたユーザＩＤ、及び暗証番号により照合処理が行われ、正しいユーザＩＤ、及び暗証番号であることが確認されればトップ画面６００を表示する。正しくなければ、ユーザＩＤ入力テキストボックス、及び暗号番号入力テキストボックスを空にし、初期状態に戻す。５０３はログイン時の認証をどこで行うかを設定する。ここでは、画像処理装置自身で行うか、認証サーバ９０３で行うかの選択が可能である。
【００３５】
図６はログイン後の画像処理装置のタッチパネル上に表示されるメッセージ画面の一例である。
【００３６】
６０１、６０２、６０３はメッセージ出力画面であり、後述する図１１で設定されたメッセージを出力する。“閉じる”ボタン６０４が押されるとトップ画面６００は閉じ、次の画面の表示に移る。６０５は、後述する図１１で設定されたイメージデータを出力する。６０６は画像処理装置に関する基本的な設定画面の表示に移るボタンである。６０７は他の機能のアプリケーションの利用に関する表示に移るボタンである。
【００３７】
図７はログイン後にタッチパネル上に表示される集計画面の一例である。この画面は、例えば図６のトップ画面から“閉じる”ボタン６０４が押下された際に遷移する画面である。
【００３８】
７０１は表示する集計結果の対象を切り替えるためのコンボボックスである。本設定項目の値が変更されると、画像処理装置で集計し、算出した情報の中で、ログインしているユーザ（あるいは部門）に関するの集計結果を表示するか、全体の集計結果を表示するかを切り替える。尚、この画面が最初に表示される場合には、前述したログイン画面（図４または図５）で取得したユーザＩＤ又は部門ＩＤに基づく集計結果の表示が行われる。これによって、何らかの処理を行うログインしたユーザに応じた、適切なコスト意識を常に持たせることが可能となる。
【００３９】
７１５は後述する図１２で設定されたコピー、プリント、スキャナ、及びＦＡＸなどのジョブ情報の集計期間を表示する。この例ではコピー、プリントの集計期間を表示している。
【００４０】
７０２は集計期間７１５で表示される期間における、カラー印刷が行われた論理ページ（カラーページ）の集計結果を表示する。ここでは、プリント、コピー、ＦＡＸ受信、レポート及びボックスプリントなどのカラーで出力された論理ページ数の合算した結果を集計結果として表示を行う。
【００４１】
７１３は集計期間７１５で表示される期間における、モノクロ印刷が行われた論理ページ（モノクロページ）の集計結果を表示する。ここでは、プリント、コピー、ＦＡＸ受信、レポート及びボックスプリントなどのモノクロで出力された論理ページ数の合算した結果を集計結果として表示する。
【００４２】
７１４は集計期間７１５で表示される期間における、出力された総論理ページ数に占めるカラーページの割合であるカラー率を表示する。この例では、［カラー率＝カラーページ÷総論理ページ数］で計算している。
【００４３】
出力枚数７０３は集計期間７１５で表示される期間における、出力された用紙の枚数（物理枚数）の総数を表示する。
【００４４】
両面比率７０４は集計期間７１５で表示される期間における、両面で出力された出力枚数を総出力枚数で割った値を表示する。具体的には、［両面比率＝両面で出力された枚数÷総出力枚数］で計算している。
【００４５】
ページ集約比率７１２は集計期間７１５で表示される期間における、Ｎｉｎ１（２ｉｎ１、４ｉｎ１など）の集約印刷で印刷されたページ数の、総ページ数に対する割合を示す。この例では、［ページ集約比率＝（Ｎｉｎ１設定されたページ数÷総ページ数）で計算している。
【００４６】
尚、両面印刷及び集約印刷の両方によって、節約された出力枚数をユーザに認識させるためさらに節約情報を画面上に表示するとしてもよい。これは総出力枚数を総論理ページすうで割ればよい。
【００４７】
７０５〜７１０は、集計期間７１５で表示される期間以前の期間においての集計結果を表示する。各項目７０５〜７１０に表示される値は、上述した各項目の集計、算出方法に準じたものである。
【００４８】
図８はＭＦＰ上で動作する、ＵＩ部におけるパネルの表示制御を伴う処理を説明するためのフローチャートを示す。このフローチャートにおける各ステップは、ＣＰＵによりプログラムが実行されることにより実現される。また、本フローチャートにおけるアプリケーションに基づく処理は、後述する図１１、１２などで設定された内容に基づき実現されることになる。
【００４９】
Ｓ８０１において部門ＩＤ４０１もしくはユーザＩＤ５０１の認証を行う。具体的には、図４、５で説明した表示を行い、そこでユーザにより入力された情報に基づき認証を行う。
【００５０】
Ｓ８０２においてアプリケーションを使用するライセンス期限を確認する。ここでは、画像処理の履歴に基づく、集計処理や表示制御を行うアプリケーションのライセンスが有効であるかを判断することになる。ライセンスが無効の場合はＳ８０３に進み、ライセンスが有効な場合はＳ８０４に進む。Ｓ８０３では、アプリケーションのライセンスが切れている旨の表示を行い、そのまま本アプリケーションによる処理は行わずに、画像処理装置の基本の設定画面に遷移するといった処理を行う。
【００５１】
Ｓ８０４において、メッセージ画面（図６で説明したトップ画面６００）の表示／非表示を判断する。メッセージ画面を表示すると予め設定されている場合はＳ８０５に進み、メッセージ画面を表示しないと予め設定されている場合はＳ８０９に進む。
【００５２】
Ｓ８０５において、メッセージ画面の表示頻度を判断する。後述する図１１において、表示頻度は毎回ログイン時に表示、または１日１回表示するなどの設定が可能となっている。１日１回表示すると設定されていた場合は、Ｓ８０６においてＳ８０１で認証され、ログインしたユーザによる、その日の最初のログインかどうかの判断を行う。最初のログインではなかった場合は、Ｓ８０９に進む。
【００５３】
Ｓ８０５で毎回ログイン時に表示すると設定されているまたは、Ｓ８０６でその日の最初のログインであると判断された場合は、Ｓ８０７においてメッセージ画面６００の表示処理を行う。
【００５４】
Ｓ８０８において、表示したメッセージ画面６００上において、ユーザにより“閉じる”ボタンが押下されたか否かを判断する。ここで押下されたと判断されない場合（ＮＯ）は、メッセージ画面６００の表示が続く。押下されたと判断された場合（ＹＥＳ）は、Ｓ８０９に進む。
【００５５】
Ｓ８０９では、集計画面７００の表示／非表示の設定を判断する。集計画面７００を表示しないと判断された場合、本アプリケーションは終了する。また、集計画面７００を表示すると判断された場合は、Ｓ８１０において集計画面７００を表示する。
【００５６】
図９は、本発明におけるネットワーク構成を示している。ネットワーク上にはジョブ情報を管理する管理装置９０１とＭＦＰ１００を含む複数のＭＦＰ９０２と認証サーバ９０３が配置されている。
【００５７】
後述するように管理装置９０１からＭＦＰに対して、図６や図７などで説明した画面上に表示するメッセージが送信される。さらに管理装置９０１は複数のＭＦＰ９０２からコピー、プリント、スキャナ、及びＦＡＸなどの処理の履歴（ジョブログ情報）を取得する。認証サーバ９０３は、ＭＦＰが外部サーバにより認証処理を行う際に、認証情報（ＩＤ及びパスワード）の送受信が行われる。
【００５８】
図１０において、管理装置となる情報処理装置のハードウェアのブロック図である。
【００５９】
１００１はＣＰＵ、即ち中央処理装置であり、情報処理装置全体の制御および演算処理等を行うものである。
【００６０】
１００２はＲＯＭ、即ち読み出し専用メモリであり、システム起動プログラムの情報等の記憶領域である。１００３はＲＡＭ、即ちランダムアクセスメモリであり、使用制限のないデータ記憶領域であり、ＯＳ、アプリケーション、デバイスドライバおよび通信制御などのプログラムがロードされ、実行される領域である。
【００６１】
１００４はＫＢＣ、即ちキーボード制御部であり、キーボードより入力データを受け取りＣＰＵへ伝達する。１００５はＣＲＴ、即ちディスプレイ制御部であり、ディスプレイ装置への表示制御をする。
【００６２】
１００６はＨＤ（ハードディスク）装置で構成する外部記憶装置であり、プログラムおよびデータを記憶、格納しておき、実行時に必要に応じて参照またはＲＡＭへロードする。外部記憶装置はＳＲＡＭなどの不揮発性記憶装置で構成してもよい。１００７は通信部であり、ネットワーク通信制御を行うものであり、図１で説明したようにネットワークに接続された他の情報処理装置や周辺機器との通信が可能である。１００８はシステムバスであり、上述の構成要素間のデータの通路となるべきものである。
【００６３】
図１１は管理装置９０１における、図６、７などの表示内容を設定するための画面である。この画面により設定された情報は、画像処理装置に送信され、設定内容が画像処理装置の表示処理などに反映されることになる。
【００６４】
１１０１はメッセージ画面６００の表示／非表示を切り替える。チェックボックスにチェックが付いているときはメッセージ画面６００が表示されることになる。
【００６５】
１１０２はメッセージ画面６００を表示する際の頻度を設定する。ここでは、“１日１回表示”（初回ログイン時）と“毎回ログイン時に表示”とが選択、設定することが可能である。“１日１回表示”された場合は、ログインしたユーザ（または部門）毎に１日の初回ログイン時にのみメッセージ画面６００を表示し、以降は終日、メッセージ画面を表示しないという設定になる。また、“毎回ログイン時に表示”が選択された場合は、ユーザが画像処理装置に対してログインする毎に、必ずメッセージ画面６００を表示する。
【００６６】
１１０３は、図６のヘッダ６０１を表示するか否かを設定する。チェックボックスにチェックが付いているときはヘッダ６０１に文字列が表示されることになる。１１０４は、ヘッダ６０１の表示文字列を設定する。ユーザはキーボード部１００４より任意の文字列を入力することができる。
【００６７】
１１０５は、図６の本文６０２を表示するか否かを設定する。チェックボックスにチェックが付いているときは本文６０２に文字列が表示されることになる。１１０６は、本文６０２の表示文字列を設定する。ユーザはキーボード部１００４より任意の文字列を入力することができる。ここでは、複数行のメッセージを入力することが可能である。
【００６８】
１１０７は、図６のフッタ６０６を表示するか否かを設定する。チェックボックスにチェックが付いているときはフッタ６０６に文字列が表示されることになる。１１０８は、フッタ６０６の表示文字列を設定する。ユーザはキーボード部１００４より任意の文字列を入力することができる。
【００６９】
１１０９は、画像６０４を表示するか否かを設定する。チェックボックスにチェックが付いているときは画像６０４が表示されることになる。１１１０は、画像６０４の画像ファイルを指定する。ここでは画像ファイルをキーボード部１００４より入力、指定することができる。１１１１は１１１０のテキストボックスに表示する画像ファイルのパスを入力する支援を行うプッシュボタンである。１１１１を押下することにより、Ｗｉｎｄｏｗｓ（登録商標）の『ファイルの選択』ダイアログボックスを表示し、ユーザに画像ファイルの指定を促し、選択された画像ファイルのフルパスを１１１０のテキストボックスに表示する。
【００７０】
１１１２は、集計画面７００を表示するか否かを設定する。チェックボックスにチェックが付いているときは集計画面７００が表示されることになる。
【００７１】
１１１３は、集計画面７００におけるメッセージ７１６を表示するか否かを設定する。チェックボックスにチェックが付いているときはメッセージ７１６に文字列が表示されることになる。１１１４は、メッセージ７１６の表示文字列を設定する。ユーザはキーボード部１００４より任意の文字列を入力することができる。
【００７２】
図１２は、画像処理装置において集計などの処理を行うアプリケーションに対する設定を行うための画面である。この画面により設定された情報は、画像処理装置に送信され、設定内容が画像処理装置の集計処理などに反映されることになる。
【００７３】
集計は決められた日時に、所定期間におけるコピー、プリント、スキャナ、及びＦＡＸなどのジョブ情報を集計する。どのジョブ種の履歴から集計を行うかは、ユーザが任意に設定することが可能である。また、下記で設定される集計期間は図７の７１５に表示される。
【００７４】
１２０１は、集計を予約するか否かを設定する。チェックボックスにチェックが付いているときは予約されたタイミングで集計を行われることになる。
【００７５】
１２０２は、集計処理を行う間隔を設定する。この例では毎月／毎週／毎日のいずれかを指定することができる。
【００７６】
１２０３は、何日（何曜日）に集計処理を実行するかを設定する。例えば集計期間１２０２で間隔に毎月が設定されたとき、１日から３１日までのいずれかが選択可能である。２９−３１が指定されたとき、実行月にそれらの日がない場合は、存在する日まで集計処理の実行日を前倒しする。実行間隔が週単位のとき、日曜日から土曜日までのいずれかが選択可能である。
【００７７】
１２０４は、集計処理を行う時間を０：００から２３：００までのいずれかを１時間単位で指定することが可能である。
【００７８】
１２０５は、集計結果のリセットを行うか否かを設定する。チェックボックスにチェックが付いているときは集計結果のリセット処理が行われる。集計結果のリセットを行うと設定された場合、上記で設定した集計期間での画像処理装置の処理実績に基づく集計が行われる。集計結果のリセットを行わないと設定された場合、集計処理などを行うアプリケーションが画像処理装置にインストールされてからの画像処理装置の処理実績に基づく集計が行われる。
【００７９】
［他の実施の形態］
以上、様々な実施形態を詳述したが、本発明は、複数の機器から構成されるシステムに適用してもよいし、また、一つの機器からなる装置に適用してもよい。例えば、プリンタ、ファクシミリ、ＰＣ、サーバとクライアントとを含むコンピュータシステムなどの如くである。
【００８０】
本発明は、前述した実施形態の各機能を実現するソフトウェアプログラムを、システム若しくは装置に対して直接または遠隔から供給し、そのシステム等に含まれるコンピュータが該供給されたプログラムコードを読み出して実行することによっても達成される。
【００８１】
従って、本発明の機能・処理をコンピュータで実現するために、情報処理装置にインストールされるプログラムコード自体も本発明を実現するものである。つまり、上記機能・処理を実現するためのコンピュータプログラム自体も本発明の一つである。
【００８２】
その場合、プログラムの機能を有していれば、オブジェクトコード、インタプリタにより実行されるプログラム、ＯＳに供給するスクリプトデータ等、プログラムの形態を問わない。
【００８３】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、記録媒体としては、磁気テープ、不揮発性のメモリカード、ＲＯＭ、ＤＶＤ（ＤＶＤ−ＲＯＭ，ＤＶＤ−Ｒ）などもある。
【００８４】
また、プログラムは、クライアントの情報処理装置のブラウザを用いてインターネットのホームページからダウンロードしてもよい。すなわち、該ホームページから本発明のコンピュータプログラムそのもの、もしくは圧縮され自動インストール機能を含むファイルをハードディスク等の記録媒体にダウンロードしてもよいのである。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明の構成要件となる場合がある。
【００８５】
また、本発明のプログラムを暗号化してＣＤ−ＲＯＭ等の記憶媒体に格納してユーザに配布してもよい。この場合、所定条件をクリアしたユーザにのみ、インターネットを介してホームページから暗号化を解く鍵情報をダウンロードさせ、その鍵情報で暗号化されたプログラムを復号して実行し、プログラムを情報処理装置にインストールしてもよい。
【００８６】
また、コンピュータが、読み出したプログラムを実行することによって、前述した実施形態の機能が実現されてもよい。なお、そのプログラムの指示に基づき、コンピュータ上で稼動しているＯＳなどが、実際の処理の一部または全部を行ってもよい。もちろん、この場合も、前述した実施形態の機能が実現され得る。
【００８７】
さらに、記録媒体から読み出されたプログラムが、情報処理装置に挿入された機能拡張ボードや情報処理装置に接続された機能拡張ユニットに備わるメモリに書き込まれてもよい。そのプログラムの指示に基づき、その機能拡張ボードや機能拡張ユニットに備わるＣＰＵなどが実際の処理の一部または全部を行ってもよい。このようにして、前述した実施形態の機能が実現されることもある。
【図面の簡単な説明】
【００８８】
【図１】本発明における画像処理装置のハードウェアのブロック図。
【図２】本発明における画像処理装置のソフトウェアに関するモジュール構成図。
【図３】実施例における画像処理装置の操作部などの一例を示す図。
【図４】実施例における部門ＩＤログイン画面の表示の一例を示す図。
【図５】実施例におけるユーザ認証ログイン画面の表示の一例を示す図。
【図６】実施例におけるメッセージ画面（トップ画面）の表示の一例を示す図。
【図７】実施例における集計画面の表示の一例を示す図。
【図８】実施例における画像処理装置の処理を説明するためのフローチャートを示す図。
【図９】実施例におけるネットワーク構成の一例を示す図。
【図１０】情報処理装置のハードウェアのブロック図。
【図１１】実施例におけるメッセージ画面の設定画面の一例を示す図。
【図１２】実施例における集計処理に関する設定画面の一例を示す図。
【図１】
2010093486.tif 000004
【図２】
2010093486.tif 000005
【図３】
2010093486.tif 000006
【図４】
2010093486.tif 000007
【図５】
2010093486.tif 000008
【図６】
2010093486.tif 000009
【図７】
2010093486.tif 000010
【図８】
2010093486.tif 000011
【図９】
2010093486.tif 000012
【図１０】
2010093486.tif 000013
【図１１】
2010093486.tif 000014
【図１２】
2010093486.tif 000015